(57)【特許請求の範囲】
【請求項１】
第１縁辺と、前記第１縁辺に対して交差する方向に伸びる第２縁辺と、前記第１縁辺の一端と前記第２縁辺の一端とを繋ぐ弧状の第３縁辺と、を含む板状の本体部と、
前記第１縁辺に沿って設けられた刷毛と、
前記第２縁辺に沿って設けられた櫛又は第２の刷毛と、
を備え、
前記第１縁辺と前記第２縁辺のなす角度が３０度以上１２０度以下であり、
前記本体部において前記第１縁辺と前記第２縁辺とに挟まれた部位が、使用者に把持される把持部を構成しており、
前記本体部の少なくとも一方の面には凹部が形成され、
当該本体部の周縁部は、前記凹部を囲む壁部を構成しており、
前記壁部は、前記第１縁辺に沿った第１部分と、前記第２縁辺に沿った第２部分と、前記第３縁辺に沿って弧状に延在している第３部分と、を有し、
前記第１部分の一端部と前記第３部分の一端部とが相互に繋がっており、前記第３部分の他端部と前記第２部分の一端部とが相互に繋がっており、前記第２部分の他端部と前記第１部分の他端部とが相互に繋がっており、
前記第１部分と前記第２部分とは、それぞれの両端部から前記両端部間に位置する中間部に向けてアーチ状に高さが増大しており、
前記第１部分及び前記第２部分それぞれにおいては、前記第３部分と繋がっている前記一端部の高さが最も低くなっている染毛用具。
【請求項２】
前記本体部の平面視において最も長さが長い部分の長さ寸法が、前記第１縁辺と前記第２縁辺とのうち短い方の長さの１．５倍以下である請求項１に記載の染毛用具。
【請求項３】
前記本体部の平面視において最も長さが長い部分の長さ寸法が１００ｍｍ以下である請求項１又は２に記載の染毛用具。
【請求項４】
前記第１縁辺と前記第２縁辺とのなす角度が鋭角である請求項１乃至３の何れか一項に記載の染毛用具。
【請求項５】
前記把持部の表面に複数の突起が形成されている請求項１乃至４の何れか一項に記載の染毛用具。
【請求項６】
前記複数の突起のうちの少なくとも１つの突起が、前記第１縁辺と前記第２縁辺とでなす角の二等分線に沿った位置に配置され、当該少なくとも１つの突起が他の突起よりも大きい請求項５に記載の染毛用具。
【請求項７】
前記本体部の平面形状が、前記第１縁辺と前記第２縁辺とでなす角の二等分線を対称軸とする線対称形となっている請求項１乃至６の何れか一項に記載の染毛用具。
【発明の詳細な説明】
【技術分野】
【０００１】
本発明は、染毛用具に関する。
【背景技術】
【０００２】
染毛剤を頭髪等の毛髪に塗布するための染毛用具としては、長尺な板状の把持部の一端に、櫛部及びブラシ部（刷毛）を有し、他端には把持部よりも細く形成されて把持部の延長方向に伸びる棒状のテール部を有する構造のものが知られている（例えば特許文献１）。
【先行技術文献】
【特許文献】
【０００３】
【特許文献１】特開２００８−１７８７１６号公報
【発明の概要】
【発明が解決しようとする課題】
【０００４】
ところで、本願発明者等は、手で染毛剤を塗布するのに近い感覚で操作性良く染毛作業を行うことが可能となるような染毛用具に対して、ニーズがあると考えた。
【０００５】
本発明は、上記の課題に鑑みなされたものであり、手で染毛剤を塗布するのに近い感覚で操作性良く染毛作業を行うことが可能な構造の染毛用具に関する。
【課題を解決するための手段】
【０００６】
本発明は、
第１縁辺と、前記第１縁辺に対して交差する方向に伸びる第２縁辺と、を含む板状の本体部と、
前記第１縁辺に沿って設けられた刷毛と、
前記第２縁辺に沿って設けられた櫛又は第２の刷毛と、
を備え、
前記第１縁辺と前記第２縁辺のなす角度が３０度以上１２０度以下であり、
前記本体部において前記第１縁辺と前記第２縁辺とに挟まれた部位が、使用者に把持される把持部を構成している染毛用具を提供する。
【発明の効果】
【０００７】
本発明によれば、手で染毛剤を塗布するのに近い感覚で操作性良く染毛作業を行うことが可能である。
【図面の簡単な説明】
【０００８】
【図１】第１の実施形態に係る染毛用具を示す図である。
【図２】第１の実施形態に係る染毛用具を示す図である。
【図３】第１の実施形態に係る染毛用具を示す図である。
【図４】第１の実施形態に係る染毛用具を示す図である。
【図５】第１の実施形態に係る染毛用具の把持の仕方の例を示す図である。
【図６】第１の実施形態に係る染毛用具の把持の仕方の例を示す図である。
【図７】第２の実施形態に係る染毛用具を示す図である。
【図８】第３の実施形態に係る染毛用具を示す図である。
【図９】第４の実施形態に係る染毛用具を示す図である。
【発明を実施するための形態】
【０００９】
以下、本発明の実施形態について、図面を用いて説明する。なお、すべての図面において、同様の構成要素には同一の符号を付し、適宜に説明を省略する。
【００１０】
〔第１の実施形態〕
図１乃至図４は第１の実施形態に係る染毛用具１００を示す図である。
このうち、図１（ａ）は平面図である。
図１（ｂ）は図１（ａ）のＢ−Ｂ線に沿った矢視断面図である。
図２（ａ）は図１（ａ）の矢印Ａ方向から染毛用具１００を見た正面図である。
図２（ｂ）は図１（ａ）の矢印Ｃ方向から染毛用具１００を見た側面図である。
図２（ｃ）は図１（ａ）の矢印Ｄ方向から染毛用具１００を見た側面図である。
図３（ａ）、（ｂ）は染毛用具１００の表側から見た斜視図である。
図４は染毛用具１００の裏面図である。
図５（ａ）、図５（ｂ）、図５（ｃ）、図６（ａ）及び図６（ｂ）の各図は、第１の実施形態に係る染毛用具１００の把持の仕方の例を示す図である。
【００１１】
図１乃至図４に示すように、本実施形態に係る染毛用具１００は、第１縁辺１１と、第１縁辺１１に対して交差する方向に伸びる第２縁辺１２と、を含む板状の本体部１０と、第１縁辺１１に沿って設けられた刷毛２０と、第２縁辺１２に沿って設けられた櫛３０（又は第２の刷毛）と、を備えている。第１縁辺１１と第２縁辺１２のなす角度（図４の角度α）は３０度以上１２０度以下である。本体部１０において第１縁辺１１と第２縁辺１２とに挟まれた部位が、使用者に把持される把持部１５を構成している。
以下、詳細に説明する。
【００１２】
染毛用具１００は、染毛剤を頭髪等の毛髪に塗布するための道具であり、板状の本体部１０を有している。
図１（ａ）に示すように、本実施形態の場合、本体部１０の平面形状は、扇形状の形状となっている。
本体部１０は、平面視において、例えば、直線状に伸びる第１縁辺１１と、第１縁辺１１に対して交差する方向に直線状に伸びる第２縁辺１２と、第１縁辺１１の一端と第２縁辺１２の一端とを繋ぐ弧状の第３縁辺１３と、を含んでいる。
【００１３】
本体部１０の少なくとも一方の面には凹部１７が形成され、本体部１０の周縁部は、凹部１７を囲む壁部１６を構成している。換言すれば、本体部１０は、当該本体部１０の周縁に沿って形成された厚肉部（壁部１６）と、厚肉部に囲まれていて厚肉部よりも肉厚が薄い薄肉部（凹部１７が形成されている部分）と、を有している。
【００１４】
本実施形態の場合、図１（ａ）、（ｂ）及び図４に示すように、本体部１０は、その表裏両面にそれぞれ壁部１６と凹部１７とを有している。
より具体的には、例えば、本体部１０は、表裏対称な形状に形成されている（図１（ｂ）参照）。
【００１５】
より具体的には、壁部１６は、本体部１０の外形に沿った扇形状の形状に形成されており、凹部１７は、本体部１０とほぼ相似形の扇形状の形状に形成されている。
壁部１６は、例えば、連続的に形成されており、凹部１７の全体を途切れることなく囲んでいる。なお、壁部１６は、間欠的に形成されていても良い（部分的に途切れていても良い）。
本体部１０において、凹部１７が形成されている部分は、例えば、平板状に形成されている（図１（ｂ）参照）。換言すれば、表裏の凹部１７の底面はそれぞれ平坦に形成され、且つ、互いに平行となっている。
【００１６】
壁部１６は、第１縁辺１１に沿った第１部分１６ａと、第２縁辺１２に沿った第２部分１６ｂと、を有している。すなわち、壁部１６は、第１縁辺１１に沿って直線状に延在する第１部分１６ａと、第２縁辺１２に沿って直線状に延在する第２部分１６ｂと、を有している。
そして、第１部分１６ａと第２部分１６ｂとのうちの少なくとも一方は、その両端部から両端部間に位置する中間部に向けてアーチ状に高さが増大している。より具体的には、例えば、第１部分１６ａと第２部分１６ｂとの双方は、その両端部から両端部間に位置する中間部に向けてアーチ状に高さが増大している。
すなわち、図２（ｃ）に示すように、第１部分１６ａは、その両端部から中間部に向けて徐々に高さが増大している。なお、ここでいう中間部は、必ずしも、第１部分１６ａをその延在方向において二分する位置（第１部分１６ａの延在方向における中央点）を意味するわけではなく、第１部分１６ａの延在方向における両端の間に位置する何れかの部位を意味する。
同様に、図２（ｂ）に示すように、第２部分１６ｂは、その両端部から中間部に向けて徐々に高さが増大している。ここでいう中間部は、必ずしも、第２部分１６ｂをその延在方向において二分する位置（第２部分１６ｂの延在方向における中央点）を意味するわけではなく、第２部分１６ｂの延在方向における両端の間に位置する何れかの部位を意味する。
なお、換言すれば、第１部分１６ａ並びに第２部分１６ｂの肉厚は、それぞれの両端部から中間部に向けて徐々に増大している。
【００１７】
壁部１６は、更に、第３縁辺１３に沿って弧状に延在する第３部分１６ｃを有している。
第１部分１６ａの一端部と第３部分１６ｃの一端部とが相互に繋がっており、第３部分１６ｃの他端部と第２部分１６ｂの一端部とが相互に繋がっており、第２部分１６ｂの他端部と第１部分１６ａの他端部とが相互に繋がっている。
【００１８】
一例として、第３部分１６ｃの高さは、第３部分１６ｃの両端間に亘って一定となっている（図１（ｂ）参照）。換言すれば、第３部分１６ｃの肉厚は、第３部分１６ｃの全体に亘って一定となっている。
また、一例として、第１部分１６ａにおいて最も高さが低い部分（第１部分１６ａの上記一端部）の高さは、第３部分１６ｃの高さと同じとなっている（図２（ｃ）参照）。同様に、第２部分１６ｂにおいて最も高さが低い部分（第２部分１６ｂの上記一端部）の高さは、第３部分１６ｃの高さと同じとなっている（図２（ｂ）参照）。  
また、一例として、第１部分１６ａの上記他端部の高さは、第１部分１６ａの上記一端部よりも高くなっている（図２（ｃ）参照）。同様に、第２部分１６ｂの上記他端部の高さは、第２部分１６ｂの上記一端部よりも高くなっている（図２（ｂ）参照）。そして、第１部分１６ａの上記他端部と第２部分１６ｂの上記他端部とは互いに同じ高さとなっている（図２（ａ）参照）。
【００１９】
上記のように、本体部１０において第１縁辺１１と第２縁辺１２とに挟まれた部位が、使用者に把持される把持部１５を構成している。
なお、本実施形態の場合、本体部１０において凹部１７が形成されている部位を把持できるだけでなく、壁部１６も把持することができるため、本体部１０の全体が把持部１５を構成している。
【００２０】
本実施形態の場合、把持部１５の表面に複数の突起が形成されている。より具体的には、例えば、表裏の凹部１７の底面に、それぞれ複数の突起が形成されている。
一方の面の凹部１７に形成された複数の突起には、例えば、１つの第１突起１８ａと、第１突起１８ａよりも小さい複数の第２突起１８ｂと、が含まれている。
同様に、他方の面の凹部１７に形成された複数の突起には、例えば、１つの第１突起１８ａと、第１突起１８ａよりも小さい複数の第２突起１８ｂと、が含まれている。
一例として、第１突起１８ａと第２突起１８ｂとは高さが互いに等しく、第１突起１８ａの面積が第２突起１８ｂの面積よりも大きい。
第１突起１８ａと第２突起１８ｂとを含む複数の突起は、例えば、凹部１７の底面に均等に分散して配置されている。
【００２１】
図１（ａ）及び図４に示すように、第１突起１８ａは、例えば、第１縁辺１１と第２縁辺１２とでなす角の二等分線（図１（ａ）におけるＢ−Ｂ線、図４における線Ｘが相当）に沿った位置に配置されている。
すなわち、複数の突起のうちの少なくとも１つの突起（第１突起１８ａ）が、第１縁辺１１と第２縁辺１２とでなす角の二等分線に沿った位置に配置され、当該少なくとも１つの突起（第１突起１８ａ）が他の突起（第２突起１８ｂ）よりも大きい。
換言すれば、本体部１０の中心に位置する突起（第１突起１８ａ）が、他の突起（第２突起１８ｂ）よりも大きい。
【００２２】
なお、本明細書中で中心に位置する突起が大きいとは、中心に位置する突起の平面形状の面積が他の突起よりも大きいこと、或いは、突起の平面形状が円形の場合には、直径が大きいこと、或いは平面形状が多角形、その他の形状の場合には、最大幅が大きいことを意味する。
【００２３】
第１突起１８ａ及び第２突起１８ｂの平面形状は特に限定されない。ただし、本体部１０において凹部１７が形成されている部位をどの方向から把持したときにも同様のグリップ性が得られるように、第１突起１８ａ及び第２突起１８ｂの平面形状は円形であることが好ましい。
【００２４】
上記のように、平面視において、第１縁辺１１と第２縁辺１２とのなす角度αは、３０度以上１２０度以下である。かかる角度範囲にすることにより、指で把持できる範囲を十分に確保でき、また刷毛２０や櫛３０に触ることなく染毛用具１００の操作が容易となる。
特に、角度αが鋭角（９０度未満）である場合、染毛用具１００を片手で持ったまま回転させるなどの染毛用具１００の取り回しが容易になる。角度αは、６０度以上８０度以下であることが更に好ましい。図１（ａ）及び図４に示す例の場合、角度αは７０度となっている。
【００２５】
また、一例として、本体部１０の平面形状は、第１縁辺１１と第２縁辺１２とでなす角の二等分線を対称軸とする線対称形となっている（図１（ａ）、図４）。
【００２６】
なお、本体部１０の側周面は、第１縁辺１１に沿った第１側面１１１（図２（ｃ））と、第２縁辺１２に沿った第２側面１２１（図２（ｂ））と、第３縁辺１３に沿った第３側面１３１（図５（ａ）参照）と、を含んでいる。
第１側面１１１及び第２側面１２１は、例えば、それぞれ平面状に形成されており、本体部１０において凹部１７が形成されている部分の板面に対してそれぞれ直交している。
また、第３側面１３１は、第３縁辺１３に沿った弧状の面であり、且つ、本体部１０において凹部１７が形成されている部分の板面に対して垂直に起立している。
【００２７】
刷毛２０は、本体部１０において第１縁辺１１に沿った部位に植毛された複数本の毛により構成されている。より具体的には、刷毛２０は、複数本の毛が、第１側面１１１から突出するように、本体部１０に植毛されることにより構成されている。例えば、複数本の毛は、第１側面１１１に対して直交する方向に突出しており、本体部１０の板面に対して平行に伸びている。
刷毛２０は、例えば、複数本の毛の束からなる植毛部２１を複数箇所に有している。より具体的には、植毛部２１は、一列以上の所定数の列に配置されている。一例として、図２（ｃ）、図３（ａ）等に示されるように、刷毛２０は２列の植毛部２１からなる。
【００２８】
また、櫛３０は、本体部１０において第２縁辺１２に沿った部位に設けられた複数本の櫛歯３１からなる。より具体的には、櫛３０は、複数本の櫛歯３１が、第２側面１２１から突出するように、本体部１０に設けられることにより構成されている。例えば、複数本の櫛歯３１は、第２側面１２１に対して直交する方向に突出しており、本体部１０の板面に対して平行に伸びている。
櫛歯３１は、一列以上の所定数の列に配置されている。一例として、図２（ｂ）、図３（ｂ）等に示されるように、櫛３０は一列の櫛歯３１からなる。
【００２９】
なお、本体部１０の材料は特に限定されないが、例えば、合成樹脂とすることができる。一例として、本体部１０は、その全体が合成樹脂により一体成形されている。
刷毛２０を構成する毛の材料は特に限定されないが、例えば、合成樹脂とすることができる。例えば、本体部１０に形成された穴に植毛部２１を構成する毛の束の一端が差し込まれるとともに接着剤により接着されることにより、植毛部２１が構成されている。
また、櫛３０を構成する櫛歯３１の材料は特に限定されないが、例えば、合成樹脂とすることができる。一例として、本体部１０と櫛３０を構成する櫛歯３１とが合成樹脂により一体成形されている。
【００３０】
染毛用具１００は、一般的な染毛用具に設けられているテールを有しないコンパクトな構造となっている。また、染毛用具１００は、片手の手の平にほぼ収まるような手の平サイズに構成されている。また、染毛用具１００は、本体部１０、刷毛２０及び櫛３０を含む全体が扁平な形状に形成されている。
【００３１】
染毛用具１００は以上のように構成されている。
【００３２】
次に、染毛用具１００の使い方の例について説明する。
【００３３】
染毛用具１００を用いて染毛剤を頭髪に塗布する際には、先ず、予め櫛３０を用いて頭髪を梳いて適当に分けるなどした後、染毛剤を刷毛２０によりすくい取って頭髪に塗布する。
【００３４】
このとき、手で把持する部分と刷毛２０とが近いので、よりダイレクトに刷毛２０に力を伝えることができる。つまり、手で染毛剤を塗布するのに近い感覚で染毛作業を行うことができる。よって、軽い力で押しつけるだけで、頭髪の根元にも容易に染毛剤を押し込むことができるため、根元から毛先までより均一に染毛剤を行き渡らせることができる。
【００３５】
また、手で把持する部分と刷毛２０とが近いことにより、単に力を伝えやすいだけでなく、狙った位置に容易に刷毛２０を移動させることができる。特に、後頭部や側頭部のように、普段見慣れた向きに鏡を見ることでは確認できないような部位の髪に染毛剤を塗布する場合の作業性が向上する。
【００３６】
また、染毛用具１００を軽い力で押しつけることにより染毛作業ができるので、染毛剤を一度にたっぷり刷毛２０にすくい取って塗布することが容易になるため、作業時間の短縮も期待できる。
【００３７】
ここで、染毛用具１００は、例えば、図５（ａ）及び図５（ｂ）に示す把持の仕方、或いは、図５（ｃ）に示す把持の仕方のように、本体部１０において凹部１７が形成された部分を手５０の指で表裏から摘むことによって把持することができる。凹部１７は、壁部１６に囲まれているので、何れの把持の仕方をした場合にも、指が滑って凹部１７から外れてしまうことを抑制でき、染毛用具１００を安定的に把持することができる。
仮に、指が凹部１７の底面に対して滑っても、壁部１６によって指の動きが食い止められるため、指が凹部１７に対して滑らないように過度の把持力で本体部１０を把持する必要が無く、軽めの力でも十分に安定的に把持することができる。
【００３８】
また、染毛用具１００が手の平サイズであるため持ちやすく、長時間の染毛作業を行う場合にも疲れにくい。
また、染毛用具１００が手の平サイズであるため持ちやすく、その全体が扁平な形状に形成されているので、片手で容易に染毛用具１００の向きの切り替えが可能である。よって、櫛３０を使用するのに適した把持の仕方と、刷毛２０を使用するのに適した把持の仕方との切り替えをスムーズに行うことができる。
また、刷毛２０を使用する場合でも、様々な向きへの切り替え（例えば、図５（ａ）及び図５（ｂ）に示す把持の仕方と、図５（ｃ）に示す把持の仕方との切り替え）を容易に行うことができる。
同様に、櫛３０を使用する場合でも、様々な向きへの切り替えを容易に行うことができる。
【００３９】
染毛用具１００は、その全体が扁平な形状に形成されているので、片手で持った状態で、本体部１０の板面に対して平行な面内で染毛用具１００を回転させる回転操作によっても、容易に染毛用具１００の向きの切り替えが可能である。
【００４０】
また、凹部１７の底面には複数の突起（第１突起１８ａ及び複数の第２突起１８ｂ）が形成されているので、凹部１７の底面に対する指の滑りを抑制することができる。
【００４１】
また、複数の突起のうちの少なくとも１つの突起（第１突起１８ａ）が、第１縁辺１１と第２縁辺１２とでなす角の二等分線に沿った位置に配置され、第１突起１８ａが他の突起（第２突起１８ｂ）よりも大きい。よって、第１突起１８ａの位置を指のホームポジションとして認識し易いため、様々な向きで染毛用具１００を把持したときにも、バランスの良い位置（二等分線に沿った位置）をスムーズに把持することができる。
【００４２】
また、例えば図６（ａ）に示すように、凹部１７が形成された部分よりも厚みが大きい壁部１６を摘むことによって把持することもできる。このため、把持する部分の厚みを時々変更することにより、染毛用具１００を把持する手５０の緊張状態を緩和することができるため、長時間の染毛作業を行う場合にも疲れにくくなる。
【００４３】
また、壁部１６の第１部分１６ａは、その両端部から中間部に向けてアーチ状に高さが増大しているので、図６（ａ）に示すような把持の仕方をしたときに、指に対して引っ掛かりのある形状となっている。すなわち、第１部分１６ａが指から滑って図６（ａ）の左方に抜けてしまうことを抑制できる。
また、第１部分１６ａの両端部は中間部よりも低いため、上記のような回転操作により染毛用具１００の向きを変更する際に、第１部分１６ａの端部が手に引っ掛かりにくく、スムーズに回転操作することができる。
【００４４】
また、本体部１０は、弧状の第３縁辺１３を含む扇形状の形状に形成されているので、図６（ａ）に示すような第３縁辺１３が手の平側に向くような把持の仕方をしたときに、本体部１０において第３縁辺１３に沿った部位が手の平に対してフィットするので、染毛用具１００の良好な把持性が得られるとともに、第３縁辺１３の手触りをソフトにすることができる。
しかも、図６（ｂ）に矢印で示すように、第３縁辺１３に沿って（壁部１６の例えば弧状の第３部分１６ｃに沿って）指（親指等）を動かすことにより、使用者が把持しやすい位置へと高い自由度で指の位置を容易に変更することができる。或いは、指を第３縁辺１３に沿った何れの位置に配置したときにも同等の把持性が得られる。
なお、第３縁辺１３の形状は、滑らかな弧状の形状に限らず、凹凸を有する弧状の形状であっても良い。
【００４５】
ここで、染毛用具１００の各部の寸法の例について説明する。
【００４６】
第１縁辺１１の長さＬ１（図４）は、例えば、２０ｍｍ以上１００ｍｍ以下とすることができる。
第２縁辺１２の長さＬ２（図４）は、例えば、２０ｍｍ以上１００ｍｍ以下とすることができる。
刷毛２０が形成されている範囲の長さＬ３（図４）は、例えば、１８ｍｍ以上９８ｍｍ以下とすることができる。
櫛３０が形成されている範囲の長さＬ４（図４）は、例えば、１８ｍｍ以上９８ｍｍ以下とすることができる。
刷毛２０を構成する毛の長さＬ５（本体部１０からの突出した部分の長さ）（図４）は、例えば、５ｍｍ以上５０ｍｍ以下とすることができる。
櫛３０を構成する櫛歯３１の長さＬ６（図４）は、例えば、５ｍｍ以上５０ｍｍ以下とすることができる。
染毛用具１００の各部をこのような寸法とすることにより、染毛用具１００を手の平サイズとすることができ、染毛用具１００の取り回しが容易となる。
また、長さＬ３及びＬ５を上記の範囲とすることにより、一度に十分な量の染毛剤を刷毛２０にのせて毛髪に塗布することができる。
【００４７】
本体部１０において凹部１７が形成されている部分の厚さ（第１突起１８ａ、第２突起１８ｂを除く厚さ）は、例えば、１ｍｍ以上５ｍｍ以下とすることができる。
これにより、本体部１０において凹部１７が形成されている部分の把持性を良好なものとすることができる。
【００４８】
本体部１０において壁部１６が形成されている部分の厚さ（図１（ｂ）に示す厚さＤ１、Ｄ２、Ｄ３等）は、例えば、３ｍｍ以上２０ｍｍ以下とすることができる。
これにより、本体部１０において壁部１６が形成されている部分の把持性を良好なものとすることができる。
また、本体部１０において凹部１７が形成されている部分を把持するときと、本体部１０において壁部１６が形成されている部分を把持するときとの把持性のメリハリを付けることができる。具体的には、本体部１０において凹部１７が形成されている部分を把持するときと、本体部１０において壁部１６が形成されている部分を把持するときとで使う手５０の筋肉を部分的に異ならせることができるため、把持する部分の厚みを時々変更することにより、手５０の筋肉をバランス良く使いながら染毛作業を続けることができ、染毛作業による手の疲れを抑制することができる。
【００４９】
壁部１６の高さ（凹部１７の底面からの高さ）は、例えば、１ｍｍ以上１０ｍｍ以下とすることができる。
これにより、壁部１６がストッパーとして好適に機能するため、本体部１０において凹部１７が形成されている部位を把持する指が滑って凹部１７から外れてしまうことを抑制できる。
より具体的には、壁部１６の第１部分１６ａの高さ（凹部１７の底面からの最大高さ）は、例えば、１ｍｍ以上１０ｍｍ以下とすることができる。
壁部１６の第２部分１６ｂの高さ（凹部１７の底面からの最大高さ）は、例えば、１ｍｍ以上１０ｍｍ以下とすることができる。
壁部１６の第３部分１６ｃの高さ（凹部１７の底面からの高さ）は、例えば、１ｍｍ以上５ｍｍ以下とすることができる。
【００５０】
第１部分１６ａにおいて最も高さが大きい部位（中間部）と、最も高さが小さい部位（一端部）との高さ比は、例えば、１：１から１：３の範囲とすることができる。
これにより、図６（ａ）のような把持の仕方をした場合のグリップ性を良好にし、手から本体部１０が滑って位置がずれたり脱落したりしてしまうことを抑制することができる。
同様に、第２部分１６ｂにおいて最も高さが大きい部位（中間部）と、最も高さが小さい部位（一端部）との高さ比は、例えば、１：１から１：３の範囲とすることができる。
【００５１】
本体部１０を平面視したときの第３縁辺１３の曲率半径は、例えば、２０ｍｍ以上６０ｍｍ以下とすることができる。これにより、手の平に対して第３側面１３１を良好にフィットさせることができる。
【００５２】
ここで、本体部１０の平面視において最も長さが長い部分の長さ寸法（以下、本体部１０の最大長さ、と称する）は、第１縁辺１１と第２縁辺１２とのうち短い方の長さの１．５倍以下であることが好ましい。
本実施形態の場合、例えば、第１縁辺１１の長さと第２縁辺１２の長さとが互いに等しい。このため、本体部１０の最大長さは、第１縁辺１１又は第２縁辺１２の長さの１．５倍以下となっている。
本実施形態の場合のように、第１縁辺１１と第２縁辺１２とが互いに交わっている場合、例えば、第１縁辺１１と第２縁辺１２との交点を基準点とし、本体部１０においてその基準点から最も遠い部分までの距離を、本体部１０の最大長さとすることができる。例えば、図１（ａ）では、本体部１０において、概ねＢ−Ｂ線に沿った部分の長さ寸法が、本体部１０の最大長さに該当し、図４では、本体部１０において、概ね線Ｘに沿った部分の長さ寸法が、本体部１０の最大長さに該当する。
なお、図示は省略するが、第１縁辺１１と第２縁辺１２とが互いに交わっておらず、第１縁辺１１と第２縁辺１２との間に、第４縁辺（把持部１５を間に挟んで第３縁辺１３の反対側に位置する縁辺）が存在する場合もあり得る。この場合に、第４縁辺が直線状のときは、例えば、第４縁辺と第１縁辺１１との交点、又は、第４縁辺と第２縁辺１２との交点を基準点とし、本体部１０においてその基準点から最も遠い部分までの距離を、本体部１０の最大長さとすることができる。
ただし、本体部１０において、最大長さを持つ部分がどの部分になるかは、本体部１０の形状に応じて変動する。
【００５３】
このように本体部１０の最大長さが、第１縁辺１１と第２縁辺１２とのうち短い方の長さの１．５倍以下となっているという構成は、上記特許文献１（特開２００８−１７８７１６号公報）のような一般的な染毛用具におけるテール部（長尺な棒状の部分）に相当する構造を有しない構成であると言える。
すなわち、テール部を持たないということは、本実施形態では第３縁辺１３側における本体部１０の突出量が小さく、従って、本体部１０の最大長さが第１縁辺１１および第２縁辺１２に比して極端に長大にはならない、ということになる。
本体部１０をこのような構成とすることにより、片手で本体部１０を持ったまま本体部１０の向きを変えたり、刷毛２０の使用と櫛３０の使用とを切り換えたりする際に、本体部１０と手との干渉を抑制できる。よって、本体部１０の良好なハンドリング性（回転操作の際などにおける良好なハンドリング性）が得られる。また、第３縁辺部１３を手の平側に向けて本体部１０を把持したときに、第３縁辺部１３と手の平との干渉を抑制できる。すなわち、第３縁辺１３が手の平に当たる状態で把持したり、或いは、第３縁辺１３が手の平から離間した状態で把持したりすることが容易になる。
【００５４】
また、本体部１０の平面視において最も長さが長い部分の長さ寸法（本体部１０の最大長さ）は、１００ｍｍ以下であることが好ましい。
本外部１０をこのような構成とすることにより、本体部１０が手の平サイズとなるため、片手で本体部１０を持ったまま本体部１０の向きを変えたり、刷毛２０の使用と櫛３０の使用とを切り換えたりする際に、本体部１０と手との干渉を抑制できる。よって、本体部１０の良好なハンドリング性（回転操作の際などにおける良好なハンドリング性）が得られる。
そして、第３縁辺１３側を手の平側に向けて本体部１０を把持したときに、本体部１０と手との干渉を抑制できる。すなわち、第３縁辺１３が手の平に当たる状態で把持したり、或いは、第３縁辺１３が手の平から離間した状態で把持したりすることが容易になる。
【００５５】
以上のような第１の実施形態によれば、染毛用具１００は、第１縁辺１１と、第１縁辺１１に対して交差する方向に伸びる第２縁辺１２と、を含む板状の本体部１０と、第１縁辺１１に沿って設けられた刷毛２０と、第２縁辺１２に沿って設けられた櫛３０と、を備える。そして、第１縁辺１１と第２縁辺１２のなす角度が３０度以上１２０度以下であり、本体部１０において第１縁辺１１と第２縁辺１２とに挟まれた部位が、使用者に把持される把持部１５を構成している。
よって、手で把持する部分と刷毛２０との距離が近くなるため、手で染毛剤を塗布するのに近い感覚で操作性良く染毛作業を行うことが可能である。
第１縁辺１１と第２縁辺１２のなす角度範囲（３０度以上１２０度以下）は、染毛用具１００の操作性を考慮して最適化された、狭すぎず、広すぎない角度範囲である。かかる角度は、本体部１０を安定的に把持できる程度の十分な広さの角度であるとともに、本体部１０を片手で把持したまま本体部１０の向きを変更したりする際の良好なハンドリング性が得られるような、適度に狭い角度である。
【００５６】
なお、染毛用具１００は、一般的な染毛用具が有するテールを有していないが、染毛用具１００の構造は、テールを有していない場合においてより操作性良く染毛作業を行うことが可能となるように最適化された構造であるといえる。
【００５７】
また、本体部１０の平面視において最も長さが長い部分の長さ寸法（本体部１０の最大長さ、と称する）を、第１縁辺１１と第２縁辺１２とのうち短い方の長さの１．５倍以下とすることにより、片手で本体部１０を持ったまま本体部１０の向きを変えたり、刷毛２０の使用と櫛３０の使用とを切り換えたりする際に、本体部１０と手との干渉を抑制できる。よって、本体部１０の良好なハンドリング性が得られる。そして、第３縁辺部１３を手の平側に向けて本体部１０を把持したときに、第３縁辺部１３と手の平との干渉を抑制できる。すなわち、第３縁辺１３が手の平に当たる状態で把持したり、或いは、第３縁辺１３が手の平から離間した状態で把持したりすることが容易になる。
【００５８】
また、本体部１０の平面視において最も長さが長い部分の長さ寸法（本体部１０の最大長さ）を、１００ｍｍ以下とすることにより、本体部１０が手の平サイズとなるため、片手で本体部１０を持ったまま本体部１０の向きを変えたり、刷毛２０の使用と櫛３０の使用とを切り換えたりする際に、本体部１０と手との干渉を抑制できる。よって、本体部１０の良好なハンドリング性が得られる。そして、第３縁辺１３側を手の平側に向けて本体部１０を把持したときに、本体部１０と手との干渉を抑制できる。すなわち、第３縁辺１３が手の平に当たる状態で把持したり、或いは、第３縁辺１３が手の平から離間した状態で把持したりすることが容易になる。
【００５９】
また、本体部１０の少なくとも一方の面には凹部１７が形成され、本体部１０の周縁部は、凹部１７を囲む壁部１６を構成している。よって、本体部１０において凹部１７が形成されている部位の把持性を良好にし、壁部１６によって指の位置ずれを抑制することができる。
【００６０】
また、壁部１６は、第１縁辺１１に沿った第１部分１６ａと、第２縁辺１２に沿った第２部分１６ｂと、を有し、第１部分１６ａと第２部分１６ｂとのうちの少なくとも一方は、その両端部から両端部間に位置する中間部に向けてアーチ状に高さが増大している。
よって、第１部分１６ａと第２部分１６ｂとの少なくとも一方について、その両端部が低いことにより、回転操作の妨げとなることを抑制できるとともに、第１部分１６ａと第２部分１６ｂとの少なくとも一方を把持したときに、指が引っ掛かりやすくなるため良好なグリップ性が得られる。
【００６１】
また、本体部１０は、平面視において、第１縁辺１１の一端と第２縁辺１２の一端とを繋ぐ弧状の第３縁辺１３を含む扇形状の形状に形成されている。
よって、第３縁辺１３が手の平側に向くような把持の仕方をしたときに、本体部１０において第３縁辺１３に沿った部位が手の平に対してフィットするので、染毛用具１００の把持性が更に良好になる。
しかも、本体部１０の板面に沿った平面内で染毛用具１００を回転させて染毛用具１００を持ち替える際に、本体部１０と手の平との干渉を抑制することができる。
【００６２】
また、第１縁辺１１と第２縁辺１２とのなす角度αが鋭角である場合、本体部１０のより良好な把持性及びハンドリング性（回転操作の際のハンドリング性など）が得られる。
【００６３】
また、把持部１５の表面に複数の突起（例えば第１突起１８ａ及び複数の第２突起１８ｂ）が形成されていることにより、把持部１５のグリップ性が向上し、把持部１５に対して指が滑ってしまうことを抑制することができる。
【００６４】
また、複数の突起のうちの少なくとも１つの突起（第１突起１８ａ）が、第１縁辺１１と第２縁辺１２とでなす角の二等分線に沿った位置に配置され、当該少なくとも１つの突起が他の突起よりも大きい。
よって、他の突起より大きい少なくとも１つの突起（第１突起１８ａ）の位置を指のホームポジションとして認識し易いため、様々な向きで染毛用具１００を把持したときにも、バランスの良い位置（二等分線に沿った位置）をスムーズに把持することができる。
また、指で把持される可能性が高い部分（二等分線に沿った部分）でのグリップ性を向上することができる。
【００６５】
また、本体部１０の平面形状が、第１縁辺１１と第２縁辺１２とでなす角の二等分線を対称軸とする線対称形となっているので、第１縁辺１１に沿って設けられた刷毛２０を使用するときと、第２縁辺１２に沿って設けられた櫛３０を使用するときの双方について、同等の把持性で染毛用具１００を把持することができるとともに、同等の操作性で操作することができる。
【００６６】
〔第２の実施形態〕
図７は第２の実施形態に係る染毛用具１００を示す図であり、このうち（ａ）は平面図、（ａ）のＢ−Ｂ線に沿った切断部端面図である。
【００６７】
本実施形態に係る染毛用具１００は、以下に説明する点で、上記の第１の実施形態に係る染毛用具１００と相違し、その他の点では、上記の第１の実施形態に係る染毛用具１００と同様に構成されている。
【００６８】
本実施形態の場合、本体部１０には、本体部１０の表裏を貫通する第１穴６１が形成されている。第１穴６１の平面形状は、特に限定されないが、図７の例では弦が第１縁辺１１に沿っている半円状の形状となっている。
なお、本体部１０には、第１突起１８ａ及び第２突起１８ｂが形成されていなくても良いし、形成されていても良い。
【００６９】
本体部１０は、第１穴６１の内部に設けられた筒状の第１筒状部４１を含んでいる。第１筒状部４１は、例えば、第１連結部７１において第１部分１６ａと連結されている。第１筒状部４１の軸方向は、本体部１０の板面に対して直交している。
【００７０】
本体部１０は、第１筒状部４１内において第１筒状部４１と同軸に配置されている第２筒状部４２を含んでいる。第２筒状部４２は、例えば、一対の第２連結部７２において第１筒状部４１と連結されている。
【００７１】
第１筒状部４１の内周面と第２筒状部４２の外周面との間の空間は、本体部１０の表裏を貫通する断面ドーナツ状の第２穴６２を構成している。
第２筒状部４２の内周面の内側の空間は、本体部１０の表裏を貫通する断面円形の第３穴６３を構成している。
【００７２】
図７（ｂ）に示すように、例えば、第１筒状部４１の軸方向長さよりも第２筒状部４２の軸方向の長さの方が短く、第１筒状部４１の軸方向両端は、第２筒状部４２の軸方向両端よりも本体部１０の板面に対して直交する方向に突出している。
このため、第２穴６２に指をあてがったときの指の座りが良好であり、第２穴６２に指をあてがって染毛用具１００を回転操作する際の回転操作性も良好となる。
【００７３】
本実施形態の場合、凹部１７は、第３縁辺１３に沿って湾曲した帯状の形状となっており、壁部１６は、凹部１７を間に挟んで第３部分１６ｃと対向する弧状の第４部分１６ｄを含んでいる。凹部１７は、第１部分１６ａ、第２部分１６ｂ、第３部分１６ｃ及び第４部分１６ｄによって囲まれている。
第４部分１６ｄは、第１穴６１の縁の一部分を構成している。
【００７４】
以上のような第２の実施形態によれば、上記の第１の実施形態と同様の構成によって上記の第１の実施形態と同様の効果が得られる他、以下の効果が得られる。
本実施形態の場合、本体部１０には、その表裏を貫通する第１穴６１、第２穴６２及び第３穴６３が形成されているので、染毛用具１００を洗浄して繰り返し使用する場合に、染毛剤や洗浄液（水等）が容易に抜けるようにできるため、染毛用具１００の洗浄性の向上が期待できる。
また、本体部１０には、円形の第３穴６３、ドーナツ状の第２穴６２及び半円状の第１穴６１が形成されているので、染毛用具１００を回転操作する際にスムーズに回転させることができる。
【００７５】
〔第３の実施形態〕
図８は第３の実施形態に係る染毛用具１００を示す図であり、このうち（ａ）は平面図、（ａ）のＢ−Ｂ線に沿った切断部端面図である。
【００７６】
本実施形態に係る染毛用具１００は、以下に説明する点で、上記の第１の実施形態に係る染毛用具１００と相違し、その他の点では、上記の第１の実施形態に係る染毛用具１００と同様に構成されている。
【００７７】
本実施形態の場合、壁部１６は、第３縁辺１３に沿った部分にのみ形成されている。すなわち、壁部１６は、第３縁辺１３に沿った弧状の第３部分１６ｃからなる。
【００７８】
また、把持部１５の表裏の面には突起が形成されておらず、その代わりに指先をそれぞれ位置決めするための複数の凹部１９が形成されている。
凹部１９は、例えば、図８（ａ）に示すように、Ｂ−Ｂ線に沿った部位に複数（例えば３つ）配置され、第１縁辺１１に沿った部位に複数（例えば３つ：ただし、このうち１つは、Ｂ−Ｂ線に沿って配置されている）配置され、第２縁辺１２に沿った部位に複数（例えば３つ：ただし、このうち１つは、Ｂ−Ｂ線に沿って配置され、且つ、第１縁辺１１に沿って配置されている）配置され、合計７つが配置されている。
ただし、凹部１９の個数及び配置はこの例に限られない。
【００７９】
本体部１０は、壁部１６が形成されている部位を除き、ほぼ同等の厚みに形成されており、本体部１０のどの部分についても同等の把持性が得られるようになっている。
なお、本体部１０は、例えば、図８（ｂ）に示すように、空洞部８０を有する中空構造となっている。
【００８０】
以上のような第３の実施形態によっても、上記の第１の実施形態と同様の構成によって、上記の第１の実施形態と同様の効果が得られる。
また、把持部１５の表面には凹部１９が形成されているので、凹部１９に対して指を位置決めしやすい。
【００８１】
〔第４の実施形態〕
図９は第４の実施形態に係る染毛用具１００を示す図であり、このうち（ａ）は平面図、（ａ）のＢ−Ｂ線に沿った切断部端面図である。
【００８２】
本実施形態に係る染毛用具１００は、以下に説明する点で、上記の第１の実施形態に係る染毛用具１００と相違し、その他の点では、上記の第１の実施形態に係る染毛用具１００と同様に構成されている。
【００８３】
本実施形態の場合、本体部１０の平面形状は、ほぼ三角形の形状（例えば、角丸の三角形）となっている。従って、第３縁辺１３及び第３部分１６ｃは直線状に延在している。
【００８４】
本実施形態の場合、本体部１０には、本体部１０の表裏を貫通する穴６０が形成されている。穴６０の平面形状は、特に限定されないが、図９（ａ）の例では本体部１０の外形とほぼ相似形に形成されている。すなわち、穴６０は、例えば、ほぼ三角形の形状（例えば、角丸の三角形）となっている。穴６０は、例えば、本体部１０の中央部に配置されている。
【００８５】
以上のような第４の実施形態によれば、上記の第１の実施形態と同様の構成によって上記の第１の実施形態と同様の効果が得られる他、以下の効果が得られる。
本実施形態の場合、本体部１０には、その表裏を貫通する穴６０が形成されているので、染毛用具１００を洗浄して繰り返し使用する場合に、染毛剤や洗浄液（水等）が容易に抜けるようにできるため、染毛用具１００の洗浄性の向上が期待できる。
また、穴６０を回転軸として染毛用具１００を容易に回転させることができるので、染毛用具１００を回転操作する際にスムーズに回転させることができる。
【００８６】
なお、上記の各形態においては、第１縁辺１１が直線状に延在している例を説明したが、第１縁辺１１は、弧状、波線状、ジグザグ状或いはクランク状などの平面形状で延在していても良い。これらの場合の第１縁辺１１の総体としての延在方向は、第１縁辺１１の両端を結ぶ直線の延在方向であるとみなすことができる。
同様に、第２縁辺１２は、弧状、波線状、ジグザグ状或いはクランク状などの平面形状で延在していても良く、これらの場合の第２縁辺１２の総体としての延在方向は、第２縁辺１２の両端を結ぶ直線の延在方向であるとみなすことができる。
そして、第２縁辺１２が第１縁辺１１に対して交差する方向に伸びるということは、第１縁辺１１の両端を結ぶ直線の延在方向と、第２縁辺１２の両端を結ぶ直線の延在方向とが互いに交差していることを意味する。
【００８７】
また、上記の各形態においては、第１縁辺１１の他端部と第２縁辺１２の他端部とが互いに繋がっている例を説明したが、第１縁辺１１と第２縁辺１２とは互いに離れていても良い。すなわち、第１縁辺１１と第２縁辺１２との間には、第１縁辺１１と第２縁辺１２とを繋ぐ他の縁辺（第４の縁辺）が介在していても良い。
この場合に、第４の縁辺には、刷毛２０を構成する毛（植毛部２１等）が存在していなくても良いし、刷毛２０の一部分を構成する毛（植毛部２１等）が存在していても良い。
同様に、第４の縁辺には、櫛３０を構成する櫛歯３１が存在していなくても良いし、櫛３０の一部分を構成する櫛歯３１が存在していても良い。
また、同様に、第１縁辺１１と第３縁辺１３との間、並びに、第２縁辺１２と第３縁辺１３との間にも、他の縁辺（第５の縁辺、第６の縁辺）が介在していても良く、それらの縁辺にも、刷毛２０の一部分を構成する毛（植毛部２１等）や、櫛３０の一部分を構成する櫛歯３１が存在していても良い。
【００８８】
また、上記の各形態では、本体部１０の平面形状が扇形状又は三角形状である例を説明したが、本体部１０の平面形状はこれらの例に限られない。
例えば、本体部１０の平面形状は、ハート型の形状などであっても良い。この場合、第３縁辺１３は、平面視において本体部１０の外方に向けて凸の２つの凸曲線部分を含んでいる。
このように、本体部１０は、平面視において、第１縁辺１１及び第２縁辺１２の両端のうち互いの距離が最も遠い一端どうしを繋ぐ第３縁辺１３を含み、第３縁辺１３は、平面視において、本体部１０の外方に向けて凸の凸曲線部分（１つ又は複数の凸曲線状部分）を含む形状とすることができる。
このような形状の場合に、第３縁辺１３の手触りをソフトにし、且つ、手の平に対する第３縁辺１３の良好なフィット感も得られる。
【００８９】
また、上記の各形態においては、第２縁辺１２に沿って櫛３０が設けられている例を説明したが、第２縁辺１２に沿って第２の刷毛が設けられていても良い。この場合に、刷毛２０を構成する毛と第２の刷毛を構成する毛とは、硬さ（曲げ剛性）、長さ及び植毛密度のうちの少なくとも何れか１つを相違させることができる。これにより、刷毛２０と第２の刷毛とで異なる使用感（操作感）が得られるので、染毛剤を塗布する部位や使用者の好みに応じて刷毛２０と第２の刷毛とを使い分けることができる。
【００９０】
また、上記の各形態は、内容が相反しない範囲で組み合わせることができる。
【００９１】
例えば、図７乃至図９に示す形態の染毛用具１００の把持部１５に複数の突起（第１突起１８ａ及び第２突起１８ｂなど）を形成しても良い。
或いは、図７に示す形態以外の形態の染毛用具１００に第１穴６１、第２穴６２、第３穴６３、第１筒状部４１、第２筒状部４２、第１連結部７１及び第２連結部７２のうちの少なくとも何れか１つの構成を設けても良い。
或いは、図８に示す形態以外の形態の染毛用具１００に凹部１９を形成しても良い。
或いは、図９に示す形態以外の形態の染毛用具１００に穴６０を形成しても良い。
【００９２】
上記の各形態の一部又は全部は、次のようにも特定され得る。但し、上記の各形態は以下の記載に制限されるものではない。
【００９３】
＜１＞
第１縁辺と、前記第１縁辺に対して交差する方向に伸びる第２縁辺と、を含む板状の本体部と、
前記第１縁辺に沿って設けられた刷毛と、
前記第２縁辺に沿って設けられた櫛又は第２の刷毛と、
を備え、
前記本体部において前記第１縁辺と前記第２縁辺とに挟まれた部位が、使用者に把持される把持部を構成している染毛用具。
＜２＞
前記本体部の平面視において最も長さが長い部分の長さ寸法が、前記第１縁辺と前記第２縁辺とのうち短い方の長さの１．５倍以下である＜１＞に記載の染毛用具。
＜３＞
前記本体部の平面視において最も長さが長い部分の長さ寸法が１００ｍｍ以下である＜１＞又は＜２＞に記載の染毛用具。
＜４＞
前記本体部の少なくとも一方の面には凹部が形成され、
当該本体部の周縁部は、前記凹部を囲む壁部を構成している＜１＞乃至＜３＞の何れか一に記載の染毛用具。
＜５＞
前記壁部は連続的に形成されている＜４＞に記載の染毛用具。
＜６＞
前記壁部は、前記第１縁辺に沿った第１部分と、前記第２縁辺に沿った第２部分と、を有し、
前記第１部分と前記第２部分とのうちの少なくとも一方は、その両端部から両端部間に位置する中間部に向けてアーチ状に高さが増大している＜４＞又は＜５＞に記載の染毛用具。
＜７＞
前記第１部分と前記第２部分との双方は、その両端部から両端部間に位置する中間部に向けてアーチ状に高さが増大している＜６＞に記載の染毛用具。
＜８＞
前記本体部は、平面視において、前記第１縁辺及び前記第２縁辺の両端のうち互いの距離が最も遠い一端どうしを繋ぐ第３縁辺を含み、
前記第３縁辺は、平面視において、前記本体部の外方に向けて凸の凸曲線部分を含む＜１＞乃至＜７＞の何れか一に記載の染毛用具
＜９＞
前記本体部は、平面視において、前記第１縁辺の一端と前記第２縁辺の一端とを繋ぐ弧状の第３縁辺を含む扇形状の形状に形成されている＜１＞乃至＜７＞の何れか一に記載の染毛用具。
＜１０＞
前記本体部は、平面視において、前記第１縁辺の一端と前記第２縁辺の一端とを繋ぐ直線状の第３縁辺を含む三角形状の形状に形成されている＜１＞乃至＜７＞の何れか一に記載の染毛用具。
＜１１＞
前記第１縁辺と前記第２縁辺とのなす角度が鋭角である＜１＞乃至＜１０＞の何れか一に記載の染毛用具。
＜１２＞
前記把持部の表面に複数の突起が形成されている＜１＞乃至＜１１＞の何れか一に記載の染毛用具。
＜１３＞
前記複数の突起のうちの少なくとも１つの突起が、前記第１縁辺と前記第２縁辺とでなす角の二等分線に沿った位置に配置され、当該少なくとも１つの突起が他の突起よりも大きい＜１２＞に記載の染毛用具。
＜１４＞
前記本体部の平面形状が、前記第１縁辺と前記第２縁辺とでなす角の二等分線を対称軸とする線対称形となっている＜１＞乃至＜１３＞の何れか一に記載の染毛用具。
＜１５＞
前記把持部の表面に複数の凹部が形成されている＜１＞乃至＜１４＞の何れか一に記載の染毛用具。
＜１６＞
前記本体部には、当該本体部の表裏を貫通する穴が形成されている＜１＞乃至＜１５＞の何れか一に記載の染毛用具。
【符号の説明】
【００９４】
１０ 本体部
１１ 第１縁辺
１２ 第２縁辺
１３ 第３縁辺
１５ 把持部
１６ 壁部
１６ａ 第１部分
１６ｂ 第２部分
１６ｃ 第３部分
１６ｄ 第４部分
１７ 凹部
１８ａ 第１突起
１８ｂ 第２突起
１９ 凹部
２０ 刷毛
２１ 植毛部
３０ 櫛
３１ 櫛歯
４１ 第１筒状部
４２ 第２筒状部
５０ 手
６０ 穴
６１ 第１穴
６２ 第２穴
６３ 第３穴
７１ 第１連結部
７２ 第２連結部
８０ 空洞部
１００ 染毛用具
１１１ 第１側面
１２１ 第２側面
１３１ 第３側面
【図１】
0006508696.tif 000002
【図２】
0006508696.tif 000003
【図３】
0006508696.tif 000004
【図４】
0006508696.tif 000005
【図５】
0006508696.tif 000006
【図６】
0006508696.tif 000007
【図７】
0006508696.tif 000008
【図８】
0006508696.tif 000009
【図９】
0006508696.tif 000010